(57)【特許請求の範囲】
【請求項１】
固定刃の上で左右一対の可動刃が互いに相反する方向に往復駆動される収穫機用のバリカン型刈取り装置であって、
前記左右一対の可動刃の一方から他方の端部の上方に延出して、左右一対の可動刃の端部間の上方を覆うカバーを設けてある収穫機用のバリカン型刈取り装置。
【請求項２】
前記カバーの前記一方の可動刃に連結された取付け部に、前記一方の可動刃が備えるナイフバーと、前記固定刃が備える摺動ガイド体との間に位置して前記摺動ガイド体に摺動する摺接部を備えてある請求項１記載の収穫機用のバリカン型刈取り装置。
【発明の詳細な説明】
【技術分野】
【０００１】
本発明は、固定刃の上で左右一対の可動刃が互いに相反する方向に往復駆動される収穫機用のバリカン型刈取り装置に関する。
【背景技術】
【０００２】
上記のバリカン型刈取り装置は、左右一対の可動刃が互いに相反する方向に往復駆動されることにより、固定刃の一端から他端に至る一つの可動刃を採用して往復駆動するものに比し、駆動振動の発生を抑制しながら駆動することができるものである。この種のバリカン型刈取り装置として、従来、たとえば特許文献１に示されるものがあった。
特許文献１に示されるものは、固定刃２、及び、左右一対の可動刃３，３を備え、左右一対の可動刃３，３は、一対のクランク機構４によって互い相反する方向に往復駆動されるものである。
【０００３】
【特許文献１】特開平１０−１６４９４９号公報（段落〔０００６〕、図１，３）
【発明の開示】
【発明が解決しようとする課題】
【０００４】
この種の刈取り装置では、左右一対の可動刃が互いに相反する方向に移動することから、左右一対の可動刃の端部間が開閉するのであり、この端部間にワラ屑や泥土が入り込むことがあると、そのワラ屑や泥土が固定刃の上に滞留や堆積し、刈取り装置の切断不良や駆動トラブルが発生することがある。殊に、可動刃の端部間が刈り刃支持体の上方に位置する場合、可動刃端部間に入り込んで固定刃上に載ったワラ屑や泥土が、刈り刃支持体に引っ掛かったり載ったりして落下しにくくなり、ワラ屑や泥土の滞留や堆積に起因したトラブルが発生やすくなっていた。
【０００５】
本発明の目的は、可動刃端部間が開閉するものでありながら、ワラ屑や泥土などの滞留や堆積を回避しやすい刈取り装置を提供することにある。
【課題を解決するための手段】
【０００６】
本第１発明にあっては、固定刃の上で左右一対の可動刃が互いに相反する方向に往復駆動される収穫機用のバリカン型刈取り装置において、
前記左右一対の可動刃の一方から他方の端部の上方に延出して、左右一対の可動刃の端部間の上方を覆うカバーを設けてある。
【０００７】
すなわち、可動刃の端部間が開いても、その端部間の上方がカバーによって覆われており、その端部間にワラ屑や泥土が入り込みにくくなる。ワラ屑や泥土がカバーの下にささり込んだり飛込んだりして固定刃や刈り刃支持体に載ったり引っ掛かったりすることがあっても、一方の可動刃から延出していてこの可動刃と共に往復移動するカバーに接触し、カバーによる掻き落とし作用を受けて落下しやすくなる。
【０００８】
従って、本第１発明によると、可動刃の端部間が開閉するものでありながら、その端部間にワラ屑や泥土などが滞留や堆積することをカバーによる覆い及び掻き落とし作用によって回避しやすく、ワラ屑や泥土による切断不良や駆動トラブルが発生しにくくて能率よく収穫作業をすることができる。
【０００９】
本第２発明にあっては、本第１発明の構成において、前記カバーの前記一方の可動刃に連結された取付け部に、前記一方の可動刃が備えるナイフバーと、前記固定刃が備える摺動ガイド体との間に位置して前記摺動ガイド体に摺動する摺接部を備えてある。
【００１０】
すなわち、可動刃が往復駆動されるに伴ってカバーの取付け部が摺接部で摺動ガイド体に対して摺動し、これにより、可動刃の固定刃に対するガタ付きを抑制しながら可動刃を往復駆動することができる。
【００１１】
従って、本第２発明によると、可動刃のガタ付きが少ないように静かに駆動することができるものを、カバーを摺接部材に利用して構造面や経済面で有利に得ることができる。
【発明を実施するための最良の形態】
【００１２】
以下、本発明の実施例を図面に基づいて説明する。
図１に示すように、機体横方向に所定間隔を隔てて並ぶ複数本の分草フレーム１の基部に支持された一つの固定刃１０、この固定刃１０の左側部分及び右側部分の上に設けた可動刃２０を備えさせて、バリカン型刈取り装置を構成してある。
【００１３】
このバリカン型刈取り装置は、稲、麦などの植立穀稈を刈り取り処理するとともに脱穀処理し、脱穀粒を穀粒タンクに回収して貯留したり、袋詰めホッパーに回収して袋詰めしたりするように構成されたコンバインの刈取り前処理部に装備されるものであって、前記各分草フレーム１の先端側に設けた分草具２から分草フレーム間に導入された植立穀稈を刈り取り処理するものであり、詳しくは、次の如く構成してある。
【００１４】
図１，２，３などに示すように、固定刃１０は、各分草フレーム１の基部の下側に連結された刈り刃支持体３（図８参照）に装着した一つの固定刃台１１、この固定刃台１１の前縁部の上面側に機体横方向に並べてリベット１２によって止着された複数個の固定刃ピース１３を備えて構成してある。
【００１５】
図１，２，３などに示すように、前記各可動刃２０は、固定刃１０の固定刃ピース１３の配列ピッチと同一の長さの配列ピッチで機体横方向に並ぶ複数個の可動刃ピース２１、前記各可動刃ピース２１の上面側にリベット２２によって止着されて複数個の可動刃ピース２１を連結している一つのナイフバー２３を備えて構成してある。
【００１６】
前記各可動刃２０の両端部と中間部の三箇所にナイフクリップ３１を備えた支持手段３０Ａ，３０Ｂ，３０ｃを作用させてあり、各可動刃２０は、前記各支持手段３０Ａ，３０Ｂ，３０ｃを介して固定刃１０に機体横方向に摺動自在に支持されている。左側の可動刃２０は、この可動刃２０の前記複数の支持手段３０Ａ，３０Ｂ，３０ｃのうちの最も機体横外側に位置する前記支持手段３０Ａが作用する部位の近くに設けた可動刃操作体２４に作用する刈り刃駆動機構４０によって固定刃１０の左側部分に対して機体横方向に往復摺動する状態に往復駆動されるように構成してある。右側の可動刃２０は、この可動刃２０の前記複数の支持手段３０Ａ，３０Ｂ，３０Ｂのうちの最も機体横外側に位置する前記支持手段３０Ａが作用する部位の近くに設けた可動刃操作体２４に作用する刈り刃駆動機構４０によって固定刃１０の右側部分に対して機体横方向の往復摺動する状態に往復駆動されるように構成してある。
【００１７】
図１，４，５に示すように、前記各刈り刃駆動機構４０は、駆動すべき可動刃２０の前記可動刃操作体２４の左右一対の操作板２５の間に係入したベアリングで成る操作ローラ４１を一端部に備えた揺動リンク４２、この揺動リンク４２の他端側の端部に一端側が相対回動自在に連結された連動ロッド４３、この連動ロッド４３の他端側が周縁部に相対回動自在に連結された駆動回転体４４を備えて構成してある。
【００１８】
前記揺動リンク４２の中間部は、穀稈搬送装置（図示せず）が備える支軸４５に回動自在に連結されており、揺動リンク４２は、前記支軸４５の軸芯まわりで往復揺動するようになっている。前記駆動回転体４４は、刈取り前処理部のフレームを構成する伝動ケース４６の端部に回転支軸４７を介して駆動回動自在に支持されている。
【００１９】
これにより、各刈り刃駆動機構４０は、回転支軸４７の機体上下向き軸芯まわりで駆動される駆動回転体４４の回転駆動力を連動ロッド４３によって直線の往復動力に変換して揺動リンク４２の端部に伝達してこの揺動リンク４２を支軸４５の機体上下向き軸芯まわりで、一定の揺動角度で往復揺動するように駆動し、この揺動リンク４２の往復動力を操作ローラ４１によって可動刃操作体２４に伝達することにより、可動刃１０を往復駆動する。
【００２０】
一対の刈り刃駆動機構４０は、これの駆動回転体４４の回転位相の設定などにより、左側の可動刃２０が機体外方側に向かって摺動する際、右側の可動刃２０も機体外方側に向かって摺動し、左側の可動刃２０が機体内方側に向かって摺動する際、右側の可動刃２０も機体内方側に向かって摺動する状態で、すなわち左右一対の可動刃２０が互いに相反する方向に往復摺動する状態で左右の可動刃２０を往復駆動する。
【００２１】
つまり、このバリカン型刈取り装置は、左右一対の可動刃２０が固定刃１０の上で互いに相反する方向に往復移動する状態に、かつ、左右一対の可動刃２０の端部間が機体横方向での中心部に位置する分草フレーム１が備える刈り刃支持体３の上方で開閉する状態に、左右一対の可動刃２０を一対の刈り刃駆動機構４０によって往復駆動し、刈取り部の左側に位置する複数本の分草具２からの植立穀稈を、固定刃１０の左側部分に位置する固定刃ピース１３と、この固定刃ピース１３に対して相対移動する左側の可動刃２０の可動刃ピース２１とによって刈取り処理し、刈取り部の右側に位置する複数個の分草具２からの植立穀稈を、固定刃１０の右側部分に位置する固定刃ピース１３と、この固定刃ピース１３に対して相対移動する右側の可動刃２０の可動刃ピース２１とによって刈取り処理する。
【００２２】
図６，７に明示するように、前記左右一対の可動刃２０の一方の端部からカバー５０を他方の可動刃２０の端部の上方に延出させるとともに、このカバー５０は、左右一対の可動刃２０の端部間Ｓを覆うように、かつ、両可動刃２０の相反する方向での往復移動のためにその端部間が最大の大きさに開いた状態においてもその端部間を全体にわたって覆うに足る延出長さを備えるように構成してある。
【００２３】
これにより、ワラ屑や泥土などが左右可動刃２０の端部間Ｓに入ることをカバー５０によって回避しながら、かつ、ワラ屑や泥土などがその端部間に刺さり込んだり飛込んだりして固定刃１０や、端部間下方の刈り刃支持体３に引っ掛かることがあっても、可動刃２０と共に往復動するカバー５０に接触し、カバー５０による掻き落とし作用を受けて落下しやすくなるようにしながら刈取り処理を行うことができる。
【００２４】
図２，３に示すように、各可動刃２０の機体横外方側での端部に支持作用する前記支持手段３０Ａは、前記固定刃台１０に連結ボルト３２によって固定された後摺動ガイド体３３、前記連結ボルト３２によって前記後摺動ガイド体３３と共に固定刃台１１に後端部が固定されたバネ板製の前記ナイフクリップ３１、このナイフクリップ３１の前端部にリベット３４によって連結された前摺動ガイド体３５を備えて構成してある。可動刃２０のナイフバー２３に、ナイフバー２３と異なる素材で成る部材を前記リベット２２によって連結することにより、ナイフバー２３よりも優れた硬さ及び耐磨耗性を備えたスライド部２６をナイフバー２３に備えてあり、前記支持手段３０Ａは、前記前摺動ガイド体３５と後摺動ガイド体３３によってナイフバー２３の前記スライド部２６を摺動自在に挟持することにより、可動刃２０を固定刃１０に対して機体横方向に摺動するように支持している。
【００２５】
図６，７，８に示すように、前記カバー５０が連結されている前記可動刃２０の機体内方側での端部に支持作用する前記支持手段３０Ｃは、前記固定刃台１１に連結ボルト３２によって固定された後摺動ガイド体３３、前記連結ボルト３２によって前記後摺動ガイド体３３と共に固定刃台１１に後端部が固定されたバネ板製の前記ナイフクリップ３１、このナイフクリップ３１の前端部にリベット３４によって連結された前摺動ガイド体３５を備えて構成してある。前記カバー５０の可動刃２０に前記リベット２２によって連結されている取り付け部５１に、固定刃１０が備える前記支持手段３０Ｃの前記後摺動ガイド体３３や前摺動ガイド体３５に摺動するように可動刃２０のナイフバー２３と後摺動ガイド体３３との間に配置した後側摺接部５２ａ、可動刃２０のナイフバー２３と前摺動ガイド体３５との間に配置した前側摺接部５２ｂを備えてある。前記カバー５０の前記取り付け部５１は、ナイフバー２３と異なる素材で構成してあり、前記後側摺接部５２ａ及び前側摺接部５２ｂは、ナイフバー２３よりも優れた硬さ及び耐磨耗性を備えている。
【００２６】
図４に示すように、可動刃２０が備える前記可動刃操作体２４における前記左右一対の操作板２５に、受動板２６を連結ボルト２７によって脱着自在に取り付けることにより、前記揺動リンク４２の操作ローラ４１に当接する接触面２８を形成してある。これにより、接触面２８に磨耗が発生した際、受動板２６のみを交換すれば、可動刃２０や可動刃操作体２４を交換しないで対処することができる。
【００２７】
〔別実施例〕
本発明によるバリカン型刈取り装置は、コンバインに限らず、コンバイン以外の各種の収穫機に装備されるバリカン型刈取り装置にも適用することができる。
【図面の簡単な説明】
【００２８】
【図１】コンバイン用のバリカン型刈取り装置の平面図
【図２】刈取り装置の支持手段配設箇所での平面図
【図３】刈取り装置の支持手段配設箇所での断面図
【図４】刈取り装置の刈り刃駆動機構作用箇所での平面図
【図５】刈取り装置の刈り刃駆動機構作用箇所での正面図
【図６】刈取り装置のカバー配設箇所での平面図
【図７】刈取り装置のカバー配設箇所での断面図
【図８】刈取り装置の断面図
【符号の説明】
【００２９】
１０        固定刃
２０        可動刃
２３        ナイフバー
３３，３５      摺動ガイド体
５０        カバー
５２ａ，５２ｂ        摺接部
【図１】
0004733512.tif 000002
【図２】
0004733512.tif 000003
【図３】
0004733512.tif 000004
【図４】
0004733512.tif 000005
【図５】
0004733512.tif 000006
【図６】
0004733512.tif 000007
【図７】
0004733512.tif 000008
【図８】
0004733512.tif 000009